(57)【要約】【課題】有害鳥獣類が威嚇音に慣れることがない、かつ、電池等の電源を必要としない、玩具用クラッカーを利用した有害鳥獣威嚇装置を提供することを課題とする。【解決手段】課題解決のため、本発明は、クラッカーを装填するカセット１と、カセット１を収納するカセット収納部８と、クラッカーを発射させる打ち出し機構１４と、打ち出し機構１４をロックバー２７によりロックさせるロック機構と、ロック機構のロックを左ロック解除ピン３５及び右ロック解除ピン３６の変位により解除させるアンロック機構と、アンロック機構を作動させる餌台３９と、を具備する。この構造により、有害鳥獣類が餌に取り付いた瞬間に、クラッカーを発射させることが出来るため、常時定期的に威嚇音を発生させる方式と比べ有害鳥獣類が威嚇音に慣れることがない。クラッカーの発射も機械的にするため、電池などの電源が必要なく山林での設置に好適である。【選択図】図１
2009027949.tif 000002
【特許請求の範囲】
【請求項１】
クラッカーを装填するカセットと、前記カセットを収納するカセット収納部と、クラッカーを発射させる打ち出し機構と、前記打ち出し機構をロックさせるロック機構と、前記ロック機構のロックを解除させるアンロック機構と、前記アンロック機構を作動させる餌台と、を具備することを特徴とする有害鳥獣威嚇装置。
【請求項２】
前記ロック機構は、前記打ち出し機構に連結したスライドシャフトと、前記スライドシャフトに設けられた段差部に当接し前記打ち出し機構をロックさせるロックバーとを具備し、前記アンロック機構は、前記餌台に接続されたシャフトと、前記シャフトの軸方向、回転方向の変位を前記ロックバーに伝達する伝達機構とを具備していることを特徴とする、請求項1の有害鳥獣威嚇装置。
【請求項３】
前記シャフトは軸受けに支持された第一のシャフトと、前記餌台に結合された第二のシャフトからなり、前記第一のシャフトと前記第二のシャフトの連結部には、第二のシャフトが前記第一のシャフトに対する水平位置と上方垂直位置との両位置で停止可能なリンク機構を備え、前記第二のシャフトを上方垂直位置にセットした時、前記第二のシャフトの倒れ防止のためのガイド機構を具備することを特徴とする、請求項1の有害鳥獣威嚇装置。
【請求項４】
前記第二のシャフトを水平位置にセットした時、前記餌台が前記カセット収納部の前面を塞ぐように配置させることを特徴とする、請求項1の有害鳥獣威嚇装置。
【請求項５】
前記カセットは、前記カセット収納部に嵌合する中空の固定部と、クラッカーの糸を保持し前記固定部の中をスライドする糸引き部とから構成されていることを特徴とする、請求項1の有害鳥獣威嚇装置。
【請求項６】
前記第一シャフトの軸方向、回転方向の変位を前記ロックバーに伝達する前記伝達機構は、円錐台の形状をしたロック解除ピンを具備していることを特徴とする、請求項1の有害鳥獣威嚇装置。
【発明の詳細な説明】
【技術分野】
【０００１】
本発明は、玩具用のクラッカーを利用した、有害鳥獣威嚇装置に関する。
【背景技術】
【０００２】
カラス等の鳥類、或はイノシシ、熊等の獣類による農作物への被害は年々ひどくなっており、時には人にも危害をおよぼすこともあり、これら有害鳥獣類を排除することは、山村に暮す人々にとって大きな課題となっている。従来、定期的な発音、或は反射光などを利用して有害鳥獣類を排除する製品が考案されているが、何れも使用開始当初は効果があるものの、動物たちがすぐにそれらの音、或は光になれてしまい効果がなくなってしまうという欠点があった。クラッカーを利用する威嚇装置に関しては参考文献１がある。クラッカーを利用することは、爆発音、火薬の匂い、飛散物により有害鳥獣類に対する威嚇効果はあるが、本参考文献1では鳥獣類の検知装置とクラッカーを発射させる制御装置が必要であり、電池などの電源が必要となるため、電池の寿命などにより山の中に設置するには適さないとともに、高価なものになってしまうという欠点がある。
【特許文献１】特開２０００−２１７４９８
【発明の開示】
【発明が解決しようとする課題】
【０００３】
本発明は、以上の問題点を解決させるためのもので、有害鳥獣類が威嚇音に慣れることがない、かつ、電池等の電源を必要としない、玩具用クラッカーを利用した有害鳥獣威嚇装置を提供することを課題とする。
【課題を解決するための手段】
【０００４】
上記課題を達成するため本発明の有害鳥獣威嚇装置は、クラッカーを装填するカセットと、前記カセットを収納するカセット収納部と、クラッカーを発射させる打ち出し機構と、前記打ち出し機構をロックさせるロック機構と、前記ロック機構のロックを解除させるアンロック機構と、前記アンロック機構を作動させる餌台と、を具備している。
【０００５】
前記ロック機構は、前記打ち出し機構に連結したスライドシャフトと、前記スライドシャフトに設けられた段差部に当接し前記打ち出し機構をロックさせるロックバーとを具備し、前記アンロック機構は、前記餌台に接続されたシャフトと、前記シャフトの軸方向、回転方向の変位を前記ロックバーに伝達する伝達機構とを具備している。そして、前記シャフトは軸受けに支持された第一のシャフトと、前記餌台に結合された第二のシャフトからなり、前記第一のシャフトと前記第二のシャフトの連結部には、第二のシャフトが前記第一のシャフトに対する水平位置と上方垂直位置との両位置で停止可能なリンク機構を備え、前記第二のシャフトを上方垂直位置にセットした時、前記第二のシャフトの倒れ防止のためのガイド機構を具備している。
【０００６】
また、本発明の有害鳥獣威嚇装置は、前記第二のシャフトを水平位置にセットした時、前記餌台が前記カセット収納部の前面を塞ぐように配置させることにより、前記第二のシャフトが水平位置にあるときには、前記カセット収納部への前記カセットの取り付け、あるいは前記カセット収納部からの前記カセットの取り外しを不可能とする安全装置を具備している。
【０００７】
前記カセットは、前記カセット収納部に嵌合する中空の固定部と、クラッカーの糸を保持し前記固定部の中をスライドする糸引き部とから構成されている。これにより、本発明の有害鳥獣威嚇装置へのクラッカーのセットが容易になる。
【０００８】
さらに、前記第一シャフトの軸方向、回転方向の変位を前記ロックバーに伝達する前記伝達機構は、円錐台の形状をしたロック解除ピンを具備している。
【発明の効果】
【０００９】
本発明の有害鳥獣威嚇装置は、有害鳥獣類が餌台の餌を食べようとした瞬間にクラッカーが発射されるため、常時定期的に威嚇音を発音している場合に比べ、有害鳥獣類が音に慣れてしまうことがなく、効果が永続するしランニングコストも抑えられる。また、有害鳥獣類の検知およびクラッカーの発射をメカ的な要素の組み合わせで実現しているため、制御装置が不要となり、電池等の電源が必要でないため、雨水による漏電、発火の危険性もなく、山の中での設置に適している。さらに、クラッカーを装填するカセットを備えているため、威嚇装置へのクラッカーのセットが容易である。また、本発明の有害鳥獣威嚇装置へのカセットの取付け、取外しの際、および餌台への餌の取付けの際にはクラッカーの発射装置が作動しない構造になっており、安全性が高い。
【実施例】
【００１０】
図１は、本発明による有害鳥獣威嚇装置の上蓋をはずした状態を、図２は、クラッカーを装填するカセット１を示している。また、図３はカセット１を構成する固定部２と糸引き部３を示し、図３（a）が固定部２、図３（b）が糸引き部３を示している。まず、図２、図３を用いてカセット１の説明をする。カセット１は固定部２と糸引き部３より構成され、固定部２は中空になっていて、糸引き部３が固定部２の中空部をスライドする。糸引き部３の側面にはネジ穴４が切ってあり、固定部２のネジ溝５を通してネジ６が取り付けられている。これにより、ネジ溝５の長さの範囲で糸引き部３が固定部２に沿ってスライドされるとともに固定部２に対する糸引き部３の回転が規制される。固定部２にはクランプピン７が設けられており、後述するように図１のカセット収納部８の切欠き部９と嵌合し、カセット１をカセット収納部８に固定する。
【００１１】
糸引き部３は中空になっていてクラッカーの引き糸が挿通する。クラッカーのカセット１への装填に際しては、クラッカーを固定部２の前面開口部から挿入し、クラッカーの引き糸を糸引き部３の中空部に通してから引き糸を糸引き部３の先端部１０に巻きつける。その際、糸引き部３は固定部３側に引き寄せられるとともに、クラッカーの外壁が固定部３の内壁に突き当たりクラッカーはカセット１に固定される。糸引き部３の先端部１０には、引き糸の巻きつけを容易にするため、小径の穴１１と穴に達するスリット１２が設けられており、スリット１２に引き糸を通し、巻きつける。
【００１２】
次に、図１に従って説明する。カセット収納部８はケース１３の前面にその一部を突出させた状態でケース１３の底面にネジ止めされている。固定部２と糸引き部３から構成され、クラッカーが装填されたカセット１は、カセット収納部８の前面開口部より挿入され、糸引き部３の先端が打ち出し機構１４の開口部に挿通する。この状態で、固定部２を時計方向に９０度回すと、カセット１の糸引き部３と打ち出し機構１４が連結される。同時に、固定部２のクランプピン７がカセット収納部８に設けられた切欠き部９と嵌合し、カセット１はカセット収納部８に固定される。図４は糸引き部３と打ち出し機構１４の連結の状態を示している。図４（a）は連結前の状態を示しており、カセット１をカセット収納部８に挿入すると、糸引き部３が打ち出し機構１４の中空部に挿入され、打ち出し機構１４の連結ネジ１５が糸引き部３の先端の切り欠部１６を通って糸引き部３の連結ミゾ１７に達する。その状態でカセット１を時計方向に９０度回すと糸引き部３も９０度回転して図４（b）の状態になり、連結ネジ１５と連結ミゾ１７がかみ合うことにより、カセット１と打ち出し機構１４が連結される。
【００１３】
図１の打ち出し機構１４にはスライドシャフト１８が結合され、スライドシャフト１８は軸受けブロック１９のスライドシャフト軸受部２０でガイドされている。これにより、打ち出し機構１４の動きに追従してスライドシャフト１８は軸方向に動く。第一コイルバネ２１は、その一端が打ち出し機構１４に取付けられ、もう一端は軸受けブロック１９に取付けられている。この第一コイルバネ２１により、スライドシャフト１８は常に軸受けブロック１９側に引き寄せられている。
【００１４】
ロックレバー２２は、軸受けブロック１９のもう一方のロックレバー軸受部２３と、ケース１３の前面板にあけられた図示しない孔でガイドされ、打ち出し機構１４に相当する位置にロック掛け２４が取付けられている。ロック掛け２４の先端には図示しない穴が設けられており、打ち出し機構１４にナット２５により固定されたロック掛けピン２６が挿入されている。この穴とロック掛けピン２６は適度の隙間を有しており、ロックレバー２２と打ち出し機構１４が連動して動く際の抵抗を少なくしている。上記のような構造により、ロックレバー２２を左方向に引くとロック掛け２４とロック掛けピン２６の作用により、打ち出し機構１４に結合されたスライドシャフト１８が左方向にスライドする。
【００１５】
図５は、図１に示したロック機構のA、A’における断面図である。図５（a）はロックが解除されている状態、図５（b）はロックされている状態を示している。以下図1、図５により説明する。ロックが解除されている状態ではスライドシャフト１８は第一コイルバネ２１の張力により図４（a）の右側方向に引き寄せられている。また、ロックバー２７はスライドシャフト１８の段差部２８から外れている。この状態でロックレバー２２を左方向に引くと、ロックレバー２２に取付けられたロック掛け２４の動きに連動して打ち出し機構１４が動き、スライドシャフト１８が図５（a）の左側方向にスライドする。そして、スライドシャフト１８の段差部２８がロックバー２７の位置に来ると第二コイルバネ３０によりロックバー２７がスライドシャフト１８の段差部２８に押し上げられ、第一コイルバネ２１の張力により段差部２８の壁面２９がロックバー２７に押し当てられてスライドシャフト１８はロックされて図５（b）の状態になる。
【００１６】
次に、図５（b）のロックの状態から図５（a）のロック解除の状態への移行について説明する。ロックバー２７をアンロック機構により押し下げ、ロックバー２７をスライドシャフト１８の段差部２８からはずしてやれば、スライドシャフト１８は第一コイルバネ２１の張力により図５（a）の右方向にスライドして図５（a）の状態になる。
【００１７】
ロックバー２７を押し下げ、スライドシャフト１８のロックを解除させるためのアンロック機構の動作について説明する。図６は、図１のアンロック機構のB、Ｂ’の断面図である。以下図１、図６に従い説明する。第一シャフト３１は、第一シャフト軸受部３２とケース１３の前面板にあけられた図示しない孔でガイドされていて、第一シャフト軸受部３２内で回転するともに軸方向に変位可能であり、圧縮コイルバネ３２により第一シャフト３１が右方向に押され、ストッパ３４aが軸受けブロック１９に押し当てられている。ストッパ３４bは第一シャフト３１が左方向に変位したとき軸受けブロック１９に押し当てられる。
【００１８】
左ロック解除ピン３５と右ロック解除ピン３６は、ストッパ３４a方向の径が大きい円錐台の形状をしており、それぞれ支持部材３７を介して第一シャフト３１に固定されており、第一シャフト３１の軸方向或いは回転方向の変位をロックバー２７に伝達する。ロックバー２７は第二コイルバネ３０により上方に押し上げられており、右ロック解除ピン３６及び左ロック解除ピン３５の動きに応じて支持ピン３８を支点として下方に押し下げられる。第一シャフト３１は、餌台３９の取付けられた第二シャフト４０と連結されている。第二シャフト４０は、第一シャフト３１との連結部４１において第一シャフト３１の水平位置、上方垂直位置で停止可能になっており、第二シャフト４０が上方垂直位置のときは倒れ防止ガイド４２で支持され、第一シャフト３１は回転出来なくなる。第二シャフト４０が上方垂直位置のときの状態を図１において破線で示している。
【００１９】
以上のように構成された有害鳥獣威嚇装置におけるカセット１のセット及びクラッカーの発射動作について説明する。まず、鳥獣類が好む餌を餌台３９に紐などで取付ける。そして餌台３９を上方に倒し上方垂直位置にした後、ロックレバー２２のハンドル４３を左方向に引き、スライドシャフト１８を図５（ｂ）のロック状態にしてから、クラッカーを取付けたカセット１を打ち出し機構１４にセットする。カセット１のセットが終了したら餌台３９を水平位置に戻しておく。
【００２０】
この状態で、鳥獣類がたとえば餌台３９の左側の餌に食いつくと、餌台３９は左方向に傾き、第一シャフト３１は反時計方向に回転する。すると、左ロック解除ピン３５が押し下げられロックバー２７を下方に押圧する。ロックバー２７が下方に押圧され、スライドシャフト１８の段差部２８から抜けると、スライドシャフト１８は図５（a）のアンロック状態になる。上記は、鳥獣類が餌台３９の左側の餌に取り付いた場合を説明したが、餌台３９の右側の餌に取り付いた場合は右ロック解除ピン３６が機能して、スライドシャフト１８は同様にアンロック状態になる。
【００２１】
以上は、鳥獣類が餌台３９の左側或は右側の餌に取り付いた場合について説明したが、鳥獣類が餌台３９の餌を第二シャフト４０の軸方向に引っ張った場合も、スライドシャフト１８はアンロック状態になる。餌台３９の餌が第二シャフト４０の軸方向に引っ張られると、左ロック解除ピン３５及び右ロック解除ピン３６が餌台３９の方向に移動する。左ロック解除ピン３５及び右ロック解除ピン３６は円錐台の形状をしていて、餌台３９側の径が小さく餌台３９の反対側の径が大きくなっているので、左ロック解除ピン３５及び右ロック解除ピン３６が餌台３９の方向に移動するに従い、左ロック解除ピン３５及び右ロック解除ピン３６がロックバー２７を下方に押し下げる量が大きくなり、ロックバー２７がスライドシャフト１８の段差部２８から抜けると、スライドシャフト１８は第一コイルバネ２１により右方向に瞬間的に移動し図５（a）のアンロック状態になる。
【００２２】
以上のように、スライドシャフト１８がアンロック状態になると、第一コイルバネ２１によりスライドシャフト１８が瞬間的に右方向に移動するため、打ち出し機構１４に連結しているカセット１の糸引き部３が瞬間的に図１の右方向に引っ張られる。すると、カセット１のクラッカーを保持している固定部２から糸引き部３が瞬間的に離間することになり、クラッカーの糸が引かれクラッカーが発射する。
【００２３】
上記実施例では、左ロック解除ピン３５及び右ロック解除ピン３６の両方を円錐台の形状にしているが、左ロック解除ピン３５、右ロック解除ピン３６のどちらか一方はストレートの形状でも良い。
【００２４】
クラッカーは玩具として使用されるが、火薬を使用した爆発物でありその取り扱いには危険性がともなう。そこで、本発明の有害鳥獣威嚇装置は以下の二つの安全上の対策をしている。第一の安全対策として、餌台３９のついた第二シャフト４０を上方垂直位置にセットセット出来るようにし、倒れ防止ガイド４２を備えている。これにより、第一シャフト３１が回転することがないので、アンロック機構が働かず、スライドシャフト１８がロックされていてもアンロック状態になることはない。したがって、クラッカーが装填されたカセット１をカセット収納部８にセットする時は、餌台３９のついた第二シャフト４０を上方垂直位置にセットすることにより、カセット１のセット中にクラッカーが暴発することはない。第二の安全対策として、餌台を横長にして、餌台３９のついた第二シャフト４０が水平位置にセットされている時は餌台がカセット収納部８の前面開口部を塞ぐ構造にしている。これにより、カセット１をカセット収納部８にセットする時は、必ず餌台３９のついた第二シャフト４０を上方垂直位置にセットしなくてはならないようにしている。
【００２５】
図７は、第一シャフト３１と第２シャフト４０の連結部４１の詳細を示している。第一シャフト３１と第二シャフト４０は連結ネジ４４で連結されている。連結ネジ４４の軸部の長さLを第一シャフト３１及び第二シャフト４０の径よりも若干長くしてある。従って、第二シャフト４０は第一シャフト３１に対し水平位置と上方垂直位置の間を、連結ネジ４４を支点にして回動し、それぞれの位置で停止することが出来る。破線は第二シャフト４０が上方垂直位置の場合を示している。
【００２６】
また、カセット１の固定部２の外周には、図３（a）で示すように突起４５が設けてある。この突起４５は図１でわかるように、ロックレバー２２が引かれていないとき（スライドシャフト１８がアンロック状態のとき）のハンドル４３の位置と同じ位置になっている。従って、スライドシャフト１８がアンロック状態のときには、突起４５とハンドル４３が干渉してカセット１をカセット収納部８に挿入することが出来ない。一方、カセット１の糸引き部３と打ち出し機構１４との連結も、スライドシャフト１８がアンロック状態のときには不可能のため、必ずロックレバー２２を引いてからでないとカセット１のカセット収納部８への挿入作業が出来ないようにし、利便性を高めている。尚、カセット１がカセット収納部８にセットされた後は、カセット１は時計方向に９０度回わされ、固定部２のクランプピン７とカセット収納部８の切欠き部９が連結されているので、突起４５もハンドル４３から９０度ずれた位置になり、突起４５とハンドル４３は干渉しなくなっている。
【図面の簡単な説明】
【００２７】
【図１】本発明の有害鳥獣威嚇装置の全体を示す。
【図２】本発明のカセットの断面を示す。
【図３】本発明のカセットを構成する、固定部と糸引き部を示す。
【図４】本発明のカセットの糸引き部と打ち出し機構を連結する状態を示す。
【図５】本発明のロック機構のA、A’断面を示す。
【図６】本発明のアンロック機構のB、B’断面を示す。
【図７】本発明の第一シャフトと第二シャフトの連結部を示す。
【符号の説明】
【００２８】
１．カセット
２．固定部
３．糸引き部
４．ネジ穴
５．ネジ溝
６．ネジ
７．クランプピン
８．カセット収納部
９．切欠き部
１０．先端部
１１．小径の穴
１２．スリット
１３．ケース
１４．打ち出し機構
１５．連結ネジ
１６．切欠き部
１７．連結ミゾ
１８．スライドシャフト
１９．軸受けブロック
２０．スライドシャフト軸受部
２１．第一コイルバネ
２２．ロックレバー
２３．ロックレバー軸受部
２４．ロック掛け
２５．ナット
２６．ロック掛けピン
２７．ロックバー
２８．段差部
２９．壁面
３０．第二コイルバネ
３１．第一シャフト
３２．第一シャフト軸受部
３３．圧縮コイルバネ
３４a．ストッパ
３４b．ストッパ
３５．左ロック解除ピン
３６．右ロック解除ピン
３７．支持部材
３８．支持ピン
３９．餌台
４０．第二シャフト
４１．連結部
４２．倒れ防止ガイド
４３．ハンドル
４４．連結ネジ
４５．突起
【図１】
2009027949.tif 000003
【図２】
2009027949.tif 000004
【図３】
2009027949.tif 000005
【図４】
2009027949.tif 000006
【図５】
2009027949.tif 000007
【図６】
2009027949.tif 000008
【図７】
2009027949.tif 000009